(57)【特許請求の範囲】
【請求項１】
マンホールの蓋枠と、蓋枠の内部に収納可能な蓋とより構成し、
蓋は、回転軸と支持軸とによって蓋枠に対して昇降自在に取りつけ、
回転軸は、蓋の表裏を貫通して設け、
回転軸の蓋裏側には、回転軸の回転とともに回動する回転腕を設け、
この回転腕には、回転軌跡方向に係合ピンを突設し
蓋枠側には、前記の係合ピンの移動軌跡上に係合縦溝を設け、
この係合縦溝の縦方向の長さは、前記の係合ピンの直径よりも十分に長く構成し、
回転腕のいずれかの位置には、回転軸と平行方向にピン穴を開口し、
係合ピンを係合縦溝へ挿入した状態で、ピン穴に、蓋の表面からストッパーピンを挿入しうるように構成し、
一方、蓋裏には回転軸と異なった位置に支持軸の上端を取り付け、
支持軸の下端は、蓋枠の係合口と係合させて構成し、
支持軸の長さ、および係合縦溝の鉛直方向の長さによって蓋の蓋枠から昇降距離を拘束した、
マンホールの構造。
【請求項２】
マンホールの蓋枠と、蓋枠の内部に収納可能な蓋とより構成し、
蓋は、回転軸と支持軸とによって蓋枠に対して昇降自在に取りつけ、
回転軸は、蓋の表裏を貫通して設け、
回転軸の蓋裏側には、回転軸の回転とともに回動する回転腕を設け、
この回転腕には、回転軌跡方向に係合ピンを突設し、
蓋枠側には、前記の係合ピンの移動軌跡上に係合縦溝を設け、
この係合縦溝の縦方向の長さは、前記の係合ピンの直径よりも十分に長く構成し、
回転腕のいずれかの位置には、回転軸と平行方向にピン穴を開口し、
係合ピンを係合縦溝へ挿入した状態で、ピン穴に、蓋の表面からストッパーピンを挿入しうるように構成し、
ストッパーピンの蓋表面露出部には、
回転具を挿入する非円形の充填溝を凹設し、
この充填溝には、溶解可能な溶解物質を挿入して構成した、
マンホールの構造。
【発明の詳細な説明】
【０００１】
【発明の属する技術分野】
本発明は、マンホールの構造に関するものである。
【０００２】
【従来の技術】
豪雨などにより短期間に計画量を超えた水が下水道に集まる場合がある。するとマンホールの蓋が下から押し上げられて浮上する。
その場合に予めマンホールの一部と蓋とを連結してないと蓋が流出してマンホールが開放してしまい、危険な状態となる。
そのような問題を生じないために、マンホールの躯体と蓋とをなんらかの方法で連結して蓋の流出を阻止する方法も採用されている。
【０００３】
【本発明が解決しようとする課題】
しかし洪水時にマンホールの蓋が浮上するだけでなく、水が引いた後には蓋は再び正確に元の位置に復元して、完全に蓋としてマンホールを閉塞させなければならない。
しかし押し上げられて浮上した蓋は真上に浮上するとは限らず、水圧によって下流側にずれた状態で浮上する場合があるから、水が引いた場合には位置がずれてしまい、正確にマンホールを閉塞することが困難な場合が生じる。
一方、他の問題としてマンホールを利用した犯罪が発生する可能性が考えられるが、そのような行為を防止する有効な方法や構造が開発されていない。
【０００４】
【本発明の目的】
本発明は上記したような従来の問題を解決するためになされたもので、洪水時には蓋を自由に浮上させ、水が引いた後には再度正確な位置に復元させることができる、マンホールの構造を提供することを目的とする。
さらに本発明は、管理者以外の第三者がマンホールを開放した場合にその形跡を直ちに把握して対処することができる、マンホールの構造を提供することを目的とする。
【０００５】
【課題を解決するための手段】
上記のような目的を達成するために、本発明のマンホールの構造は、  マンホールの蓋枠と、蓋枠の内部に収納可能な蓋とより構成し、蓋は、回転軸と支持軸とによって蓋枠に対して昇降自在に取りつけ、回転軸は、蓋の表裏を貫通して設け、回転軸の蓋裏側には、回転軸の回転とともに回動する回転腕を設け、この回転腕には、回転軌跡方向に係合ピンを突設し、蓋枠側には、前記の係合ピンの移動軌跡上に係合縦溝を設け、この係合縦溝の縦方向の長さは、前記の係合ピンの直径よりも十分に長く構成し、回転腕のいずれかの位置には、回転軸と平行方向にピン穴を開口し、係合ピンを係合縦溝へ挿入した状態で、ピン穴に、蓋の表面からストッパーピンを挿入しうるように構成し、一方、蓋裏には回転軸と異なった位置に支持軸の上端を取り付け、支持軸の下端は、蓋枠の係合口と係合させて構成し、支持軸の長さ、および係合縦溝の鉛直方向の長さによって蓋の蓋枠から昇降距離を拘束したマンホールの構造を特徴としたものである。
【０００６】
さらに本発明の目的を達成するマンホールの構造は、マンホールの蓋枠と、蓋枠の内部に収納可能な蓋とより構成し、蓋は、回転軸と支持軸とによって蓋枠に対して昇降自在に取りつけ、回転軸は、蓋の表裏を貫通して設け、回転軸の蓋裏側には、回転軸の回転とともに回動する回転腕を設け、この回転腕には、回転軌跡方向に係合ピンを突設し、蓋枠側には、前記の係合ピンの移動軌跡上に係合縦溝を設け、この係合縦溝の縦方向の長さは、前記の係合ピンの直径よりも十分に長く構成し、回転腕のいずれかの位置には、回転軸と平行方向にピン穴を開口し、係合ピンを係合縦溝へ挿入した状態で、ピン穴に、蓋の表面からストッパーピンを挿入しうるように構成し、ストッパーピンの蓋表面露出部には、回転具を挿入する非円形の充填溝を凹設し、この充填溝には、溶解可能な溶解物質を挿入して構成したマンホールの構造を特徴としたものである。
【０００７】
【本発明の実施の態様】
以下図面を参照しながら本発明のマンホールの構造の実施例について説明する。
【０００８】
＜イ＞全体の構成。
本発明は、マンホールの蓋枠２と、蓋枠２の内部に収納可能な蓋１とより構成する。
蓋枠２はその内側に上方に向けて開いた傾斜面２１を付けて形成する。
したがって、蓋１を閉める際には、蓋１は傾斜面２１を滑る状態で蓋枠２の内部に収納される。
蓋１の下面には、回転軸３と、支持軸４とを突設する。
この回転軸３と支持軸４によって、蓋１を蓋枠２に対して昇降自在に取りつける。
【０００９】
＜ロ＞回転軸３。
回転軸３は、蓋１の表裏を貫通して設ける。
回転軸３の最上端、すなわち蓋表面への露出部には、四角溝などの非円形溝３６を凹設し、回転工具を嵌合して回転軸３に回転力を与える。
【００１０】
＜ハ＞回転腕。
回転軸３の蓋裏側には、回転軸３の中心軸と直交する方向に向けて回転腕３１を突設する。
回転軸３の回転とともに回動する回転腕３１の先端には、回転軸の回転軌跡の方向に向けて係合ピン３２を突設する。
したがって回転軸３の回動とともに係合ピン３２は回転軸の軸芯を中心とした円の軌道上を移動する。
【００１１】
＜ニ＞ピン穴。
回転腕３１のいずれかの位置にはピン穴３５を開口する。
ピン穴３５の開口方向は、回転軸３の軸方向と平行する方向である。
ピン穴３５の開口のために、回転腕３の係合ピン３２と反対側の側面に台座３６を突設し、この台座３６にピン穴３５を開口することもできる。
【００１２】
＜ホ＞係合縦溝３４。
一方、蓋枠２側には、前記の係合ピン３２の移動軌跡上に係合縦溝３４を設ける。
この係合縦溝３４は縦方向に長い溝であり、その縦方向の長さは、前記の係合ピン３２の直径よりも十分に長く構成する。
【００１３】
＜ヘ＞支持軸４。
蓋１の裏面には回転軸３とは異なる他の位置に、鉛直方向に向けた支持軸４の上端を取りつける。
この支持軸４の上端と下端には、水平方向にむけて水平ピン４１、４２を突設する。
そして支持軸４は蓋１の下面に直接に取りつけるのではなく、水平ピン４１を介して回転自在の状態で取りつける。
一方、蓋枠２には、この支持軸４の下端の位置に、係合口４３を形成する。
この係合口４３は、支持軸４が自由に上昇下降できる開口面積を有し、かつ、支持軸４下端の水平ピン４２は通過不能の開口面積を有する。
したがって、蓋１の一方は支持軸４の下の水平ピン４２までの距離、そして蓋１の他方は係合縦溝３４の鉛直方向の長さだけ、蓋枠２から昇降可能となる
【００１４】
＜ト＞ストッパーピン５。
係合ピン３２を係合縦溝３４へ挿入した状態で、ピン穴３５には、蓋１の表面からストッパーピン５を挿入することができる。
このストッパーピン５は、ピン穴３５に挿入する棒状部５１と、蓋のねじ穴に螺合するねじ部５２とより構成する。
そしてストッパーピン５のねじ部５２の上端面、すなわち蓋１の表面に露出する面には、回転工具を挿入する、四角溝などの充填溝５３を凹設する。
【００１５】
＜チ＞溶解物質の挿入。
ストッパーピン５の上端面の充填溝５３には、溶解可能な溶解物質を挿入する。溶解可能な物質とは、例えば合成樹脂、低温で溶解する合金などである。
ストッパーピン５の充填溝３５に溶解物質を挿入する目的は、管理者以外の第三者の行った開放行為を確認するためのである。
そのためにさらに溶解物質の表面に管理者の名称などを刻印を押しておくとより有効である。
もし第三者がマンホールの開放を試みる際には、溶解物質を溶解して充填溝５３を露出させ、その後にストッパーピン５を回転して引き抜く必要がある。
したがって管理者はその形跡を直ちに把握することができるし、特に管理者の名称などを刻印しておけば、その発見はより確実である。
【００１６】
＜リ＞蓋１が浮き上がらない構成。
上記の実施例の場合には蓋１が上昇しない構造のマンホールにおいても採用することができる。
すなわち、係合縦溝３４の内部で係合ピン３２が上昇する構造に限らず、上昇しない構造、すなわち係合縦溝３４の長さが係合ピン３２の直径と等しいような場合にも、ストッパーピン５の充填溝５３内に溶解物質を挿入する構成を採用すれば、犯罪防止の効果を達成する発明として成立する。
【００１７】
＜ヌ＞洪水時。
洪水などで下水道の水量が設計量以上になると、蓋１が下から押し上げられる。
すると本発明詰の蓋１は、一定距離までの上昇を許容しているから、蓋１が上昇し、その上昇量に応じて水は蓋１と蓋枠２との間隔から外部に流出することができる。
その場合の蓋１の上昇量は、係合縦溝３４の縦方向の長さと、支持軸４の長さによって拘束されている。
したがって、それらの長さを調整することによって、蓋１の一方は蓋枠２の縁よりも上方に上昇させ、蓋１の他方は蓋枠２の縁よりも上昇させないように構成することができる。
たとえば、蓋１を、回転軸３側では常に蓋枠２の内部に位置させておくことができる。
【００１８】
＜ル＞蓋１の下降。
水量が減少すると蓋１は再び下降する。その場合に蓋１は回転軸３の側では常に蓋枠２の内側に位置しているから、そのまま蓋枠２の内側の傾斜面２１に誘導されて、正確な位置に復元する。
したがって蓋１が下降した場合に蓋１が横移動してしまい、蓋１が再度蓋枠２内に収まらず、マンホールの開口部を残すといった危険が発生することはない。
【００１９】
＜ヲ＞蓋１の開放。
マンホールに人が入る場合などには蓋１を開放する必要がある。
その場合には、まず回転軸３を蓋１の外部から回転する必要がある。回転軸３の回転は、ストッパーピン５で拘束されているから、ストッパーピン５を回転腕３１から引き抜く。
そのために、ストッパーピン５の充填溝５３内部の溶解物質を溶解し、その後に工具を挿入して回転を与えてストッパーピン５を引き抜く。
その後に回転軸３を回転して係合ピン３２を係合縦溝３４から引き出す。
その状態で蓋１を引き上げれば、蓋枠２に係合する部材がなくなっているから容易に蓋１を開くことができる。
【００２０】
＜ワ＞犯罪の発見。
蓋１を開放するためには、上記したようにストッパーピン５の充填溝５３内の溶解物質を溶解してからでなければ行うことができない。
したがって管理者以外の第三者が蓋１を開放した場合に、管理者はその形跡を直ちに発見することができる。特に溶解物質の表面に管理者の名称などを刻印しておけば、その発見はより確実である。
したがって、請求項４に対応するこの実施例の場合には蓋１が浮上するための構造を採用する必要はない。
なお、回転軸３上面の非円形溝３６に溶解物質を充填すれば、ストッパーピン５と回転軸３との両方によって同様の管理を行うことができる。
【００２１】
【本発明の効果】
本発明の蓋１が浮上するマンホールの構造は以上説明したようになるから、次のような効果を達成することができる。
＜イ＞蓋１の上昇距離が、係合縦溝３４の長さと、支持軸４の長さによって拘束され、かつ回転軸３側では蓋１が蓋枠２の縁よりも上まで上昇することがない。
そのために洪水時に蓋１が上昇してもその蓋１の位置が横方向にずれてしまうことがない。
したがって、復元した場合に正確にもとの位置まで戻り、マンホールの一部が開口したままになるような危険が発生しない。
＜ロ＞係合縦溝３４には係合ピン３２が係合してあり、係合ピン３２を係合縦溝３４に挿入、引き出しする回転腕３１にはストッパーピン５を挿入して係合縦溝３４からの抜け出しを拘束している。
したがって、振動などによって係合ピン３２が抜け出してしまう可能性がなく、洪水時に押し上げられた場合に開放してしまう危険性がない。
＜ハ＞ストッパーピン５の地表面への露出端の充填溝５３は、溶解物質によって閉塞し、場合によっては溶解物質の表面に管理者の刻印を押しておくことができる。
すると、管理者以外の第三者が溶解して蓋１を開放した場合に、溶解物質が除去されていたり、あるいは刻印が熔けている状況から第三者が蓋１を開放した事実が分かり、犯罪を発見し、防止することができる。
さらに、回転軸３に回転を与えるための非円形溝３６に溶解物質を充填しておき、さらに管理者の刻印を押しておけば、ストッパーピン５と回転軸３との両方によって同様の管理を行うことができる。
【図面の簡単な説明】
【図１】本発明のマンホールの蓋が浮上した場合の説明図。
【図２】回転軸の係合ピンとストッパーピンの説明図。
【図３】係合ピンと係合縦溝の係合状態の説明図。
【図４】蓋を蓋枠に嵌合した場合の説明図。
【図５】洪水時に蓋が浮上した状態の説明図。
【図１】
0003955466.tif 000002
【図２】
0003955466.tif 000003
【図３】
0003955466.tif 000004
【図４】
0003955466.tif 000005
【図５】
0003955466.tif 000006